(57)【要約】【課題】本発明は、全体的に嵩張ることなく収納対象物に対する保持力及び耐衝撃吸収性に優れた収納対象物の衝撃吸収装置を生成するようにする。【解決手段】本発明は、個装カートン２に収納すべき収納対象物３の左右両側端部を挟み込むようにして保持するための凹状収納部１０が設けられた第１の緩衝材４及び第２の緩衝材５の連結スペーサ用穴１２に対して、連結スペーサ６の先端部分となる差込部６Ｂ及び６Ｃをつぼませながら挿通し、当該挿通後に差込部６Ｂ及び６Ｃが復元することにより当該連結スペーサ用穴１２から外れないようにすると共に、その連結スペーサ６が第１の緩衝材４及び第２の緩衝材５によって収納対象物３を挟み込んでいる状態で当該収納対象物３の底部に対する衝撃吸収材として機能させることより、全体的に嵩張ることなく収納対象物３に対する保持力及び耐衝撃吸収性を向上させることができる。【選択図】図１
2007131307.tif 000002
【特許請求の範囲】
【請求項１】
包装箱に収納すべき収納対象物の左右両側端部を挟み込むようにして保持するための凹部が設けられた第１の緩衝材及び第２の緩衝材と、
上記第１の緩衝材及び上記第２の緩衝材の所定部位に設けられた穴に対して、薄板状でなる先端部分をつぼませながら挿通し、当該挿通後に上記先端部分が復元することにより上記穴から外れない構造を有する連結手段と
を具え、
上記連結手段は、上記第１の緩衝材及び上記第２の緩衝材によって上記収納対象物を挟み込んでいる状態で当該収納対象物の下方から保持すると共に上下方向からの衝撃吸収材として機能する
ことを特徴とする収納対象物の衝撃吸収装置。
【請求項２】
上記連結手段は、上記薄板紙状でなる段ボール紙であり、その長手方向と上記段ボール紙の目とが直交している
ことを特徴とする請求項１に記載の収納対象物の衝撃吸収装置。
【請求項３】
上記連結手段の上記先端部分は、その先端部分が所定の折曲線に沿って折り曲げられることによりつぼませられる
ことを特徴とする請求項１に記載の収納対象物の衝撃吸収装置。
【請求項４】
上記連結手段は、上記収納対象物と当接する当接部分が長手方向に沿って２箇所折り曲げられたリブ構造となっている
ことを特徴とする請求項１に記載の収納対象物の衝撃吸収装置。
【発明の詳細な説明】
【技術分野】
【０００１】
本発明は、収納対象物の衝撃吸収装置に関し、例えばラジオカセットプレーヤ等の電子機器が収納対象物として段ボール箱に梱包された当該収納対象物への衝撃を吸収する衝撃吸収装置に適用して好適なものである。
【背景技術】
【０００２】
従来、ラジオカセットプレーヤ等の電子機器を段ボール箱に梱包する際には、当該電子機器の上端部（トップ側）及び下端部（ボトム側）をパルプモールドクッションと呼ばれる緩衝材により挟み込み、その状態で段ボール箱に落とし込んで梱包することにより、外部からの衝撃を当該緩衝材によって吸収するようになされている。
【０００３】
しかしながら、ラジオカセットプレーヤのように水平方向が長く、高さ方向が短い電子機器の場合には、トップ側及びボトム側から挟み込まれる形態の緩衝材を用いると、水平方向が長いために多大な容積からなる緩衝材が必要になり、全体的に嵩張ると共に不要なコストがかかるという問題があった。
【０００４】
そこで高さ方向が短い電子機器の左右両側から挟み込む形態の緩衝材を用いることが考えられるが、段ボール箱から取り出す際に、電子機器の自重等によって両側の緩衝材から抜け落ちる等のトラブルが懸念されるため、緩衝材が電子機器を挟み込むときの咥え込み量を深くして電子機器が抜け落ちることを抑止するようになされている。
【０００５】
ところが、この場合にも緩衝材が電子機器を挟み込むときの咥え込み量を深くした分だけ、当該緩衝材のサイズが大きくなり、全体的に嵩張ると共に不要なコストがかかる点については変わらない状態であった。
【０００６】
このような状態を回避するため、電子機器を挟み込む両側の緩衝材をストラップにより連結する連結構造とした梱包用緩衝材が提案されている（例えば、特許文献１参照）。
【特許文献１】特開2004-315047公報
【発明の開示】
【発明が解決しようとする課題】
【０００７】
ところでかかる構成の梱包用緩衝材においては、ストラップにより両側の緩衝材を連結し、その連結状態が外れないように考慮されているだけであって、電子機器に対する上下方向からの衝撃に対してストラップが積極的に衝撃吸収材または衝撃緩衝材になることは想定されておらず、そのような上下方向からの衝撃に対しては非常に弱く破損し易いという問題があった。
【０００８】
本発明は以上の点を考慮してなされたもので、収納対象物に対する保持力及び耐衝撃吸収性を向上させ得る収納対象物の衝撃吸収装置を提案しようとするものである。
【課題を解決するための手段】
【０００９】
かかる課題を解決するため本発明の収納対象物の衝撃吸収装置においては、包装箱に収納すべき収納対象物の左右両側端部を挟み込むようにして保持するための凹部が設けられた第１の緩衝材及び第２の緩衝材と、第１の緩衝材及び第２の緩衝材の所定部位に設けられた穴に対して、薄板状でなる先端部分をつぼませながら挿通し、当該挿通後に先端部分が復元することにより穴から外れない構造を有する連結手段とを具え、連結手段は、第１の緩衝材及び第２の緩衝材によって収納対象物を挟み込んでいる状態で当該収納対象物の下方から保持すると共に上下方向からの衝撃吸収材として機能するようにした。
【００１０】
本発明の衝撃吸収装置では、第１の緩衝材及び第２の緩衝材と連結手段との連結状態を堅固な状態に維持して収納対象物の抜け落ちを連結手段によって抑止しながら、連結手段を収納対象物に対する上下方向からの衝撃吸収材として機能させることができるので、第１の緩衝材及び第２の緩衝材の収納対象物に対する保持力及び耐衝撃吸収性を向上させることができる。
【発明の効果】
【００１１】
本発明によれば、第１の緩衝材及び第２の緩衝材と連結手段との連結状態を堅固な状態に維持して収納対象物の抜け落ちを連結手段によって抑止しながら、連結手段を収納対象物に対する上下方向からの衝撃吸収材として機能させることができるので、第１の緩衝材及び第２の緩衝材の収納対象物に対する保持力及び耐衝撃吸収性を向上させ得る収納対象物の衝撃吸収装置を実現することができる。
【発明を実施するための最良の形態】
【００１２】
以下、図面について、本発明の一実施の形態を詳述する。
【００１３】
（１）衝撃吸収装置の全体構成
図１において、１は本発明における衝撃吸収装置を示し、段ボール箱でなる個装カートン２に対して衝撃吸収装置１全体が太矢印方向へ落とし込まれて梱包されるようになされている。
【００１４】
この場合、衝撃吸収装置１は例えばラジオカセットプレーヤ等でなる収納対象物３の本体正面３Ａからみて左側に位置する第１の緩衝材４及び右側の位置する第２の緩衝材５によって当該収納対象物３の左側端部及び右側端部を挟み込むことにより保持すると共に、本体正面３Ａと対抗する本体裏面（図示せず）側で第１の緩衝材４及び第２の緩衝材５を連結した連結スペーサ６により当該収納対象物３を本体裏面側から支え、この状態で個装カートン２の内部に落とし込まれる。
【００１５】
この衝撃吸収装置１では、第１の緩衝材４及び第２の緩衝材５によるサイドクッションの包装形態が採用されていると共に、収納対象物３の本体裏面（図示せず）側に配置された連結スペーサ６が当該収納対象物３に対する上下方向の衝撃吸収材としても機能させるようになされている。
【００１６】
（２）第１の緩衝材及び第２の緩衝材の構成
図２及び図３に示すように第１の緩衝材４及び第２の緩衝材５は、例えばパルプモールドクッションと呼ばれるものであって、双方共に同じ形状を有し、軽量化及び強度化の観点から多くの凹凸部、波形部、立壁部、箱状部等の殻構造及びリブ構造でなり、ほぼ中央部分に収納対象物３の左側端部又は右側端部を咥え込むための凹状収納部１０が設けられている。
【００１７】
また第１の緩衝材４及び第２の緩衝材５では、その一端ほぼ中央部分に連結スペーサ６（図１）の幅とほぼ同程度でなる開口部１１が形成され、図４の上面図に示すように、その開口部１１の底面におけるほぼ中央やや内側寄りの位置に、一辺が短く他辺が長い台形状の貫通孔でなる連結スペーサ用穴１２が設けられている。
【００１８】
このように第１の緩衝材４及び第２の緩衝材５には、それぞれ同じ連結スペーサ用穴１２が設けられているので、これら２個の連結スペーサ用穴１２を介して連結スペーサ６が取り付けられることにより、当該第１の緩衝材４及び第２の緩衝材５とが相互に連結されるようになされている。
【００１９】
（３）連結スペーサの構成
図５に示すように連結スペーサ６は、その素材としては段ボール紙でなり、当該連結スペーサ６が第１の緩衝材４及び第２の緩衝材５に取り付けられた状態で、個装カートン２に梱包可能なサイズになるように、その長さが選定されている。
【００２０】
この連結スペーサ６は、収納対象物３と当接し、当該収納対象物３を保持すると共に当該収納対象物３に対する上下方向の衝撃吸収材としても機能する保持部６Ａと、第１の緩衝材４及び第２の緩衝材５におけるそれぞれの連結スペーサ用穴１２と連結させるため当該保持部６Ａの両側に設けられた差込部６Ｂ及び６Ｃとによって構成されている。
【００２１】
図６に示すように連結スペーサ６は、保持部６Ａが折曲線１５及び１６（図５）を介して折り曲げられることによりリブ形状に変形され、これにより保持部６Ａに形成された立壁部６Ａ１及び６Ａ２の高さ分だけ収納対象物３を個装カートン２の底面から浮かせた状態で保持し得ると共に、当該立壁部６Ａ１及び６Ｂ１によって当該収納対象物３に対する上下方向からの衝撃を吸収し得るようになされている。
【００２２】
因みに連結スペーサ６は、図５に示したように段ボール紙の目６Ｄが保持部６Ａの長手方向とは直交方向になるよう設定されており、これにより当該立壁部６Ａ１及び６Ｂ１によって上下方向からの衝撃に対する強度を上げ得るようになされている。
【００２３】
また連結スペーサ６（図５及び図６）は、差込部６Ｂ及び６Ｃが折曲線１７及び１８を介して４段に折り曲げられるようになされており、図７に示すように折り曲げられた状態が維持されているときの断面形状は、第１の緩衝材４及び第２の緩衝材５にそれぞれ形成された台形状の連結スペーサ用穴１２とほぼ相似形となる。
【００２４】
従って、図８に示すように連結スペーサ６の差込部６Ｂ及び６Ｃがユーザにより折り曲げられた状態で第１の緩衝材４及び第２の緩衝材５（図４）における連結スペーサ用穴１２に対して差し込まれた場合、第１の緩衝材４及び第２の緩衝材５における開口部１１の底面に対して、保持部６Ａの側壁部分２０及び２１（図７）が当接されることになり、それ以上差し込まれることがない。
【００２５】
その後、連結スペーサ６は、差込部６Ｂ及び６Ｃが折り曲げ状態から段ボール紙の復元力により元の状態へ僅かに戻ると、図９に示すように差込部６Ｂ及び６Ｃの断面形状が連結スペーサ用穴１２の台形状と相似形ではなくなり、その結果、図１０に示すように開口部１１の底面と差込部６Ｂ及び６Ｃの端面とが当接し、その差込部６Ｂ及び６Ｃの端面が連結スペーサ６から抜け出ないためのストッパの役割を担い、連結状態を維持し得るようになされている。
【００２６】
このとき連結スペーサ６は、差込部６Ｂ及び６Ｃの折り曲げ状態が解消されて拡がることになる分だけ、その端面と開口部１１の底面との当接部分が多くなり、ストッパ効果を一段と促進させるようになされている。
【００２７】
かくして衝撃吸収装置１は、図１１に示すように第１の緩衝材４と第２の緩衝材５とが連結スペーサ６によって連結され、その状態で第１の緩衝材４又は第２の緩衝材５が引っ張られたときであっても、連結状態が容易に外れることがないようになされている。
【００２８】
（４）衝撃吸収装置による収納対象物の保持状態
次に衝撃吸収装置１では、第１の緩衝材４及び第２の緩衝材５が連結スペーサ６によって連結されているとはいっても、連結スペーサ６が段ボール紙で構成されているため弾力性を有するため、図１２に示すように第１の緩衝材４と第２の緩衝材５との間隔を拡げさせてから収納対象物３の左側端部及び右側端部を挟み込むことにより保持するようになされている。
【００２９】
これにより衝撃吸収装置１は、第１の緩衝材４及び第２の緩衝材５を収納対象物３の左右両側に位置させ、連結スペーサ６を収納対象物３の本体裏面側に位置させた状態で、第１の緩衝材４及び第２の緩衝材５における所定部位がユーザの手で把持されたときに、第１の緩衝材４及び第２の緩衝材５によって挟み込まれた収納対象物３を連結スペーサ６によっても保持し得、かくして当該収納対象物３の自重によって第１の緩衝材４及び第２の緩衝材５から抜け落ちてしまうことを未然に防止し得るようになされている。
【００３０】
かくして衝撃吸収装置１は、図１に示したように第１の緩衝材４及び第２の緩衝材５によって収納対象物３を挟み込んだ状態で個装カートン２の内部に落とし込む際、又は個装カートン２の内部から第１の緩衝材４及び第２の緩衝材５と共に収納対象物３を引っ張り出す際においても、連結スペーサ６によって収納対象物３を下方から保持しているので当該収納対象物３が抜け落ちてしまうことを未然に回避し得るようになされている。
【００３１】
（５）動作及び効果
以上の構成において、衝撃吸収装置１では、第１の緩衝材４及び第２の緩衝材５によって収納対象物３を挟み込んで保持する際、連結スペーサ６によって収納対象物３をその下方から保持することができる。
【００３２】
これに対して従来では、連結スペーサ６が存在せず、第１の緩衝材４及び第２の緩衝材５の収納対象物３に対する挟み込み状態が当該収納対象物３の自重によって外れ易く、そのせいで個装カートン２に対する梱包時又は個装カートン２からの取り外し時に収納対象物３が抜け落ちてしまうトラブルが多かった。
【００３３】
しかしながら本発明の衝撃吸収装置１では、連結スペーサ６によって第１の緩衝材４及び第２の緩衝材５が容易に外れることのないように連結され、かつ当該連結スペーサ６によって収納対象物３を下方から保持することができるようにしたので、個装カートン２に対する梱包時又は取り外し時において、収納対象物３が第１の緩衝材４及び第２の緩衝材５による挟み込み状態から抜け落ちてしまう恐れを無くし、当該収納対象物３の破損を未然に防止することができる。
【００３４】
また衝撃吸収装置１では、収納対象物３が第１の緩衝材４及び第２の緩衝材５によって挟み込まれて保持された状態で、個装カートン２に梱包された後、個装カートン２の上下方向から何らかの衝撃が加えられたときであっても、連結スペーサ６の保持部６Ａが折曲線１５及び１６を介して折り曲げられたリブ構造となっているため、その衝撃をリブ構造部分で受け止めて吸収することができ、かくして収納対象物３に対して衝撃が直接加えられてしまうことを回避して収納対象物３の破損を予め防止することができる。
【００３５】
なお衝撃吸収装置１では、第１の緩衝材４と第２の緩衝材５とを連結する際、連結スペーサ６の差込部６Ｂ及び６Ｃをユーザがすぼませた状態で、当該第１の緩衝材４と第２の緩衝材５の連結スペーサ用穴１２に対してそれぞれ差し込み、その後は差込部６Ｂ及び６Ｃの復元力により当該差込部６Ｂ及び６Ｃの端面がストッパになって第１の緩衝材４と第２の緩衝材５との連結状態を堅持するようになされているため、ユーザにとっては連結スペーサ６の差込部６Ｂ及び６Ｃをすぼませて第１の緩衝材４と第２の緩衝材５の連結スペーサ用穴１２に対してそれぞれ差し込むという簡単な操作だけで組み立てることができる。
【００３６】
さらに衝撃吸収装置１は、第１の緩衝材４と第２の緩衝材５とを連結スペーサ６によって連結し、収納対象物３を下方から当該連結スペーサ６によって保持し、当該収納対象物３の抜け落ちを防止するようにしたことにより、連結スペーサ６を用いない従来の場合には、第１の緩衝材４の凹状収納部１０及び第２の緩衝材５の凹状収納部１０による収納対象物３の左側端部及び右側端部に対する咥え込み量を深くする必要があったが、そのような必要性はなく、第１の緩衝材４と第２の緩衝材５を大幅に薄型化することができる。かくして衝撃吸収装置１は、第１の緩衝材４と第２の緩衝材５の材料費削減及び更なるコストダウンを図ることができる。
【００３７】
さらに衝撃吸収装置１は、第１の緩衝材４及び第２の緩衝材５がパルプモールドクッションと呼ばれる紙製素材で構成され、かつ連結スペーサ６についても段ボール紙でなる紙製素材で構成されているため、廃棄する際にも分別不要で環境に優しい包装材にもなっている。
【００３８】
以上の構成によれば、衝撃吸収装置１は、個装カートン２に収納すべき収納対象物３の左右両側端部を挟み込むようにして保持するための凹状収納部１０をそれぞれ有する第１の緩衝材４及び第２の緩衝材５に設けられた連結スペーサ用穴１２に対して、連結スペーサ６の差込部６Ｂ及び６Ｃをつぼませながら挿通し、当該挿通後に差込部６Ｂ及び６Ｃが復元することにより連結状態を堅持すると共に、第１の緩衝材４及び第２の緩衝材５によって収納対象物３を挟み込んでいる状態で連結スペーサ６により当該収納対象物３を下方から保持すると共に外部からの衝撃を吸収し、収納対象物３に対する破損を防止することができる。
【００３９】
（６）他の実施の形態
なお上述の実施の形態においては、開口部１１の底面に貫通孔でなる連結スペーサ用穴１２を形成するようにした場合について述べたが、本発明はこれに限らず、図１３に示すように所定の厚さｈをもった連結スペーサ用穴５０を形成するようにしても良い。この場合、連結スペーサ用穴５０の強度が一段と向上し、段ボール紙製であるがゆえに破れやすいといった欠点を解消することができる。
【００４０】
また上述の実施の形態においては、連結スペーサ６の素材として段ボール紙を用いるようにした場合について述べたが、本発明はこれに限らず、差込部６Ｂ及び６Ｃをすぼませることができ、その後復元するような薄板状の素材であれば、第１の緩衝材４及び第２の緩衝材５と同様のパルプモールド材を用いたり、またポリプロピレン、ポリエチレン、ポリスチレン、ポリエチレンテレフタレート、塩化ビニル等の樹脂材料を用いたり、或いは使用済みＰＥＴ（ポリエチレンテレフタレート）ボトルを主原料とした発泡樹脂シート等のリサイクル原料を用いるようにしても良い。
【００４１】
さらに上述の実施の形態においては、第１の緩衝材４及び第２の緩衝材５が同じ形状を有するようにした場合について述べたが、本発明はこれに限らず、収納対象物３の左側端部及び右側端部の形状に合わせたそれぞれ異なる形状を有するようにしても良い。
【００４２】
さらに上述の実施の形態においては、差込部６Ｂ及び６Ｃが折曲線１７及び１８を介して４段に折り曲げられるようにした場合について述べたが、本発明はこれに限らず、図１４に示すように差込部６Ｂ´及び差込部６Ｃ´が折曲線５１及び５２を介して２段に折り曲げられるようにしても良い。この場合であっても、差込部６Ｂ´及び６Ｃ´の端面を介してストッパの役割を十分に担うようになされている。すなわち差込部６Ｂ及び６Ｃについては種々の形状が考えられる。
【００４３】
さらに上述の実施の形態においては、第１の緩衝材４及び第２の緩衝材５における開口部１１の底面に台形状の連結スペーサ用穴１２を設けるようにした場合について述べたが、本発明はこれに限らず、差込部６Ｂ及び６Ｃをすぼませた状態で差し込むことが可能な最小限サイズでなる貫通孔であれば、図１５に示すように長方形状に形成された連結スペーサ用穴５３等のその他種々の形状でなる連結スペーサ用穴を設けるようにしても良い。
【産業上の利用可能性】
【００４４】
本発明の収納対象物の衝撃吸収装置は、例えば電子機器以外の収納対象物を所定のクッション材を介して個装カートンに梱包する用途にも適用することができる。
【図面の簡単な説明】
【００４５】
【図１】本発明の衝撃吸収装置の全体構成を示す略線的斜視図である。
【図２】第１及び第２の緩衝材の外観構成（１）を示す略線的斜視図である。
【図３】第１及び第２の緩衝材の外観構成（２）を示す略線的斜視図である。
【図４】開口部及び連結スペーサ用穴の構成を示す略線図である。
【図５】連結スペーサの構成を示す略線図である。
【図６】連結スペーサの折曲状態を示す略線的斜視図である。
【図７】差込部の差込前状態を示す略線的斜視図である。
【図８】差込部の挿入前におけるつぼませ状態を示す略線的斜視図である。
【図９】差込部の差込後状態を示す略線的斜視図である。
【図１０】差込部の挿通後における復元状態を示す略線的斜視図である。
【図１１】連結スペーサによる連結後状態を示す略線的斜視図である。
【図１２】収納対象物の挟み込み保持状態を示す略線的斜視図である。
【図１３】他の実施の形態による連結スペーサ用穴の断面構造を示す略線的断面図である。
【図１４】他の実施の形態による連結スペーサの差込部の形状を示す略線的斜視図である。
【図１５】他の実施の形態による連結スペーサ用穴の形状を示す略線図である。
【符号の説明】
【００４６】
１……衝撃吸収装置、２……個装カートン、３……収納対象物、４……第１の緩衝材、５……第２の緩衝材、６……連結スペーサ、１１……開口部、１２、５０、５３……連結スペーサ用穴、１５〜１８、５１、５２……折曲線、２０、２１……側壁部分。
【図１】
2007131307.tif 000003
【図２】
2007131307.tif 000004
【図３】
2007131307.tif 000005
【図４】
2007131307.tif 000006
【図５】
2007131307.tif 000007
【図６】
2007131307.tif 000008
【図７】
2007131307.tif 000009
【図８】
2007131307.tif 000010
【図９】
2007131307.tif 000011
【図１０】
2007131307.tif 000012
【図１１】
2007131307.tif 000013
【図１２】
2007131307.tif 000014
【図１３】
2007131307.tif 000015
【図１４】
2007131307.tif 000016
【図１５】
2007131307.tif 000017